(57)【要約】【課題】  ポータブル機器用のＡＣアダプタにおいて、雑音端子電圧の発生を抑制することを課題とする。【解決手段】  スイッチングレギュレータ回路組立体４０が合成樹脂製ケース３４内に組み込んである。放熱用のアルミニウムシート７０はケース３４の半分の大きさであり、ＤＣコード６１側に貼ってある。インレットプラグ４５側にはアルミニウムシート７０は存在していず、アルミニウムシート７０を介しての雑音端子電圧のインレットプラグ４５への伝播は起きない。【選択図】  図１
2007014137.tif 000002
【特許請求の範囲】
【請求項１】
合成樹脂製のケース内にスイッチングレギュレータ回路組立体が収容してあり、該スイッチングレギュレータ回路組立体がＡＣ入力端子及びＤＣ出力端子を有する構成のＡＣアダプタにおいて、
放熱用の金属シートを、合成樹脂製の銘板とは独立した部品とし、
該金属シートを、上記ケースの表面に、前記ＡＣ入力端子に対応する部分を避けて貼った構成としたことを特徴とするＡＣアダプタ。
【請求項２】
請求項１に記載のＡＣアダプタにおいて、
前記ケースは、その表面に、前記銘板に対応した形状の銘板用凹部及び金属シートに対応した形状の金属シート用凹部を有し、該金属シート用凹部は該銘板用凹部内にこれより深く形成してあり、
前記金属シートは前記金属シート用凹部内に貼ってあり、前記銘板は、貼られた前記金属シートを覆って前記銘板用凹部内に貼ってある構成としたことを特徴とするＡＣアダプタ。
【請求項３】
請求項１又は請求項２に記載のＡＣアダプタにおいて、
前記金属シートは、前記銘板よりも小さい大きさであり、前記ＤＣ出力端子の側に貼ってある構成としたことを特徴とするＡＣアダプタ。
【発明の詳細な説明】
【技術分野】
【０００１】
本発明はポータブル機器用のＡＣアダプタに関する。
【背景技術】
【０００２】
図６は従来のＡＣコードタイプのＡＣアダプタ１を示す。このＡＣアダプタ１は、スイッチングレギュレータ回路が下側ハーフケース２と上側ハーフケース３とを組み合わせてなる合成樹脂製ケース４内に組み込んであり、ケース４の一側から、先端にＡＣプラグ１０を有するＡＣコード１１が延びており、ケース４の反対側から、先端にプラグ２０を有するＤＣコード２１が延びており、ケース４の一面に、銘板２０が貼ってある構成である。
【０００３】
銘板２０は、表面側が合成樹脂製のシートであり、裏面の全面が拡散放熱のためのアルミニウムシート部２１である構成である。銘板２０は、ケース４の面と略同じ大きさであり、アルミニウムシート部２１はケース４の面の略全部をカバーしている。
【０００４】
ＡＣアダプタ１は、ＡＣプラグ１０をコンセントに差込み、プラグ２０をポータブル機器に接続して使用され、スイッチングレギュレータ回路が繰り返しオンオフ動作する都度にノイズが発生する。このノイズの一部はＡＣコード１１に乗ってＡＣプラグ１０側に伝わる可能性がある。ＡＣコード１１に乗って伝わるノイズを「雑音端子電圧」という。この雑音端子電圧は、コンセント、家庭内の配線を伝わって、別のコンセントに接続されている他の電子機器に到って影響を及ぼす。このため、ＡＣアダプタ１においては、雑音端子電圧を出来るだけ低く抑えることが望ましい。
【発明の開示】
【発明が解決しようとする課題】
【０００５】
従来のＡＣアダプタ１は、アルミニウムシート部２１がケース４の面の略全部をカバーしており、アルミニウムシート部２１の一部は、ＡＣコード１１が接続してあるＡＣ入力端子に対応する部分に到っている。
【０００６】
図７中の、線Ｉは、スペクトラムアナライザ及びレシーバを使用して従来のＡＣアダプタ１の雑音端子電圧の測定した結果である。横軸は周波数、縦軸はノイズレベルである。試験条件は、Ｖｉｎが１２０Ｖ／６０Ｈｚであり、Ｉｏが２Ａである。図７中、線IIは規格で定められている平均雑音端子電圧（ＡＶ）であり、線IIIはピーク雑音端子電圧の準尖頭値（ＱＰ）である。
【０００７】
図７より、雑音端子電圧は規格を満足してはいるけれども、マージン、例えば、ピーク雑音端子電圧に関するマージンＭが比較的小さいことが分かる。
【０００８】
そこで、ＡＣアダプタにおいては、品質の向上のためには、雑音端子電圧を更に低く抑えて上記のマージンを大きくすることが求められている。
【０００９】
そこで、本発明は、上記課題を解決したＡＣアダプタを提供することを目的とする。
【課題を解決するための手段】
【００１０】
本発明は、合成樹脂製のケース（３４）内にスイッチングレギュレータ回路組立体（４０）が収容してあり、該スイッチングレギュレータ回路組立体がＡＣ入力端子（４３）及びＤＣ出力端子（４４）を有する構成のＡＣアダプタにおいて、
放熱用の金属シート（７０）を、合成樹脂製の銘板（７１）とは独立した部品とし、
該金属シートを、上記ケースの表面に、前記ＡＣ入力端子（４３）に対応する部分を避けて貼った構成としたことを特徴とする。
【発明の効果】
【００１１】
本発明によれば、ＡＣ入力端子に対応する部分には金属シートが存在しないため、金属シートを介して雑音端子電圧がＡＣ入力端子に伝播されることが起きない。よって雑音端子電圧に関する品質を改善出来る。
【発明を実施するための最良の形態】
【００１２】
次に本発明の実施の形態について説明する。
【実施例１】
【００１３】
図１は発明の１実施例であるインレットプラグタイプのポータブル機器用のＡＣアダプタ３０を、下側から見上げた状態で、且つ、アルミニウムシート及び銘板を分解した状態で示す。図２は上側ハーフケースを取外した状態で内部を示す平面図、図３は断面図である。Ｘ１−Ｘ２は幅方向、Ｙ１−Ｙ２は長手方向、Ｚ１−Ｚ２は高さ方向である。
【００１４】
図１、図２、図３に示すように、ＡＣアダプタ３０は、スイッチングレギュレータ回路組立体４０が下側ハーフケース３２と上側ハーフケース３３とを組み合わせてなる合成樹脂製ケース３４内に組み込んであり、ケース３４のＹ２側の面３４面Ｙ２にインレットプラグ４５が露出してあり、ケース３４のＹ１側の面３４Ｙ１から先端にプラグ６０を有するＤＣコード６１が延びており、ケース３４のＺ２側の面３４Ｚ２に、アルミニウムシート７０と合成樹脂製の銘板７１とが貼ってある構成である。
【００１５】
スイッチングレギュレータ回路組立体４０は、図２、図３に示すように、プリント基板４１の上面にトランス４２等が実装してあり、Ｙ２側にＡＣ入力端子４３が、Ｙ１側にＤＣ出力端子４４が配置してある構成である。ＡＣ入力端子４３にインレットプラグ４５が接続してあり、ＤＣ出力端子４４にＤＣコード６１が接続してある。ＡＣ入力端子４３とトランス４２との間に、ラインフィルタ４６及びフィルムコンデンサ４７が実装してある。ラインフィルタ４６及びフィルムコンデンサ４７は、スイッチングレギュレータ回路が繰り返しオンオフ動作する都度に主にトランス４２の個所で発生したノイズがＡＣ入力端子４３にまで伝播することを阻止する役割を有する。また、トランス４２とＤＣ出力端子４４との間に、三つのショットキーダイオード（ＳＢＤ）４８−１、４８−２、４８−３が実装してある。このショットキーダイオード４８−１、４８−２、４８−３が特に発熱し、主な熱源である。プリント基板４１は下側ハーフケース３２の底の個所に固定される。
【００１６】
ケース３４のＺ２側の面３４Ｚ２には、その全面に銘板７１に対応した浅い凹部５０が形成してあり、Ｙ１側の約半分の部分に、アルミニウムシート７０に対応した深い凹部５１が形成してある。凹部５１は、面３４Ｚ２及び凹部５０に対して段差を有している。
【００１７】
［アルミニウムシート７０について］
アルミニウムシート７０は、独立した部品であり、厚さが５０μｍであり、ケース３４の面３４Ｚ２の略半分のサイズであり、凹部５１によって位置を決められて接着してあり、図３に示すように凹部５１内に収まっており、且つ、図２に示すように、ショットキーダイオード４８−１、４８−２、４８−３に対応する領域をカバーしている。
【００１８】
銘板７１は、厚さが５０μｍであり、凹部５０によって位置を決められて接着してあり、図３に示すように凹部５０内に収まっており、アルミニウムシート７０を覆っている。貼られた銘板７１の表面は平らであり、面３４Ｚ２と同じ面である。
【００１９】
アルミニウムシート７０はラインフィルタ４６、フィルムコンデンサ４７、ＡＣ入力端子４３の部分までは延在していず、ラインフィルタ４６からＡＣ入力端子４３の下側にはアルミニウムシートは存在していない。これによって、スイッチングレギュレータ回路が繰り返しオンオフ動作する都度に発生したノイズがアルミニウムシート７０にアルミニウムシート７０内を伝播するけれども、伝播はＡＣ入力端子４３よりかなりＹ１側の部位までに限られ、アルミニウムシート７０内を伝播してきたノイズがＡＣ入力端子４３を経てインレットプラグ４５に到ることは起きない。即ち、アルミニウムシート７０を介したことに起因する「雑音端子電圧」は発生しない。
【００２０】
なお、銘板７１をアルミニウムシート７０を一体に有する構造とすると、アルミニウムシート７０のサイズが銘板７１とは相違するため、銘板７１は製造し難い。本実施例では、アルミニウムシート７０は独立した部品であり、銘板７１は製造し易い。
【００２１】
［ＡＣアダプタ３０の雑音端子電圧特性等］
図４の線ＩＡは、前記と同じ試験条件で測定した上記ＡＣアダプタ３０の雑音端子電圧である。図４を、図７と比較して分かるように、マージンＭＡが大きくなっており、ＭＡ＞Ｍである。
【００２２】
図５の線Ｘは、周囲温度Ｔａが約２８度の環境で、Ｖｉｎが１２０Ｖ／５０Ｈｚであり、Ｉｏが２Ａであるようにして、ＡＣアダプタ３０を使用した場合の、アルミニウムシート７０のうちショットキーダイオード４８−１、４８−２、４８−３の下側の部位の温度を測定した結果である。線XIは、アルミニウムシート７０を貼らずに試験を行なって下側ハーフケース３２の底面のうちショットキーダイオード４８−１、４８−２、４８−３の下側の部位に温度を測定した結果である。
【００２３】
６０分経過したときに、アルミニウムシート７０を貼らなかった場合には、温度は６９．４℃にもなって、周囲温度Ｔａとの温度差ΔＴが４１．２℃にもなってしまったところを、アルミニウムシート７０を貼ると、温度の上昇は６０℃に留まり、周囲温度Ｔａとの温度差ΔＴは３１．８℃に抑えられ、アルミニウムシート７０を貼らなかった場合に比較して約１０℃も抑えられている。即ち、アルミニウムシート７０はケース３４の面３４Ｚ２の略半分のサイズであるけれども、熱を拡散して放熱する効果があることが分かる。
【００２４】
アルミニウムシート７０のサイズ及び配置は上記に限るものではなく、端がＡＣ入力端子４３から離れていればそれなりに効果を有する。
【００２５】
アルミニウムシート７０を上記のように貼る構成はＡＣコードタイプのＡＣアダプタにも適用可能であり、同様の効果を有する。
【図面の簡単な説明】
【００２６】
【図１】本発明の実施例１になるＡＣアダプタを下側から見上げた状態で、且つ、アルミニウムシート及び銘板を分解した状態で示す斜視図である。
【図２】図１のＡＣアダプタを上側ハーフケースを取外した状態で示す平面図である。
【図３】図１のＡＣアダプタの断面図である。
【図４】図１のＡＣアダプタの雑音端子電圧発生状況を示す図である。
【図５】図１のＡＣアダプタの放熱特性を示す図である。
【図６】従来のＡＣアダプタを銘板を上面とした姿勢で示す斜視図である。
【図７】図６のＡＣアダプタの雑音端子電圧発生状況を示す図である。
【符号の説明】
【００２７】
３０  インレットプラグタイプのＡＣアダプタ
３２  下側ハーフケース
３３  上側ハーフケース
４０  スイッチングレギュレータ回路組立体
４２  トランス
４３  ＡＣ入力端子
４４  ＤＣ出力端子４４
４５  インレットプラグ
４６  ラインフィルタ
４７  フィルムコンデンサ４７
４８−１、４８−２、４８−３  ショットキーダイオード
５０、５１  凹部
７０  アルミニウムシート
７１  銘板
【図１】
2007014137.tif 000003
【図２】
2007014137.tif 000004
【図３】
2007014137.tif 000005
【図４】
2007014137.tif 000006
【図５】
2007014137.tif 000007
【図６】
2007014137.tif 000008
【図７】
2007014137.tif 000009